(57)【要約】  【課題】  ワイヤハーネス用プロテクタの本体と蓋とをロック結合する際に、本体を保持することなく片手で確実にロック結合できるようにしロック結合作業の効率を向上させる。  【解決手段】  樋形状の本体１１と、該本体１１にワイヤハーネスを通した後に該本体１１の上面開口を閉鎖する蓋１３を被せて、該蓋１３と本体１１とをロック結合するプロテクタ１０であって、蓋１３に突設するロック片３０にロック爪３１を突設している一方、本体１１の側壁１１ｂにコ字枠状のロック枠２０を突設し、該ロック枠２０の中央連結部２２の外面の下部よりリブ２３を突設し、ロック爪３１をロック枠２０に挿入して中央連結部２２の下端面２２ａにロック爪３１の上端面３１ａを係止させてロック係止させる際に、本体１１のロック枠２０のリブ２３を押し上げながら、ロック片３０を突設した部位の蓋１３の上面を押し下げてロック爪３１をロック枠２０に挿入係止している。  【選択図】  図３
2005318741.tif 000002
【特許請求の範囲】
【請求項１】
底壁と両側壁を有する樋形状の本体と、該本体にワイヤハーネスを通した後に該本体の上面開口を閉鎖する蓋を被せて、該蓋と本体とをロック結合するプロテクタであって、
前記蓋の先端より下向きに突設するロック片の下端外面に、三角形状のロック爪を突設している一方、前記本体の側壁の上部外面にコ字枠状のロック枠を突設し、該ロック枠の中央連結部の外面の下部よりリブを側方に向けて突設し、前記ロック爪をロック枠に挿入して中央連結部の下端面にロック爪の上端面を係止させてロック係止させる際に、前記本体のロック枠のリブを押し上げながら、前記ロック片を突設した部位の前記蓋の上面を押し下げてロック爪をロック枠に挿入係止できる構成としていることを特徴とするワイヤハーネス用プロテクタ。
【請求項２】
前記ロック枠の中央連結部の内面の下端より内側リブを側方に向けて突設している請求項１に記載のワイヤハーネス用プロテクタ。
【請求項３】
前記蓋は前記本体の側壁の一方側上端に薄肉ヒンジ部を介して一体成形されており、該蓋のヒンジ連結側と反対先端に前記ロック爪を備えたロック片を突設していると共に、前記本体の他方側の側壁の上部に前記ロック枠を突設している請求項１または請求項２に記載のワイヤハーネス用プロテクタ。
【発明の詳細な説明】
【技術分野】
【０００１】
本発明は、ワイヤハーネス用プロテクタに関し、詳しくは、プロテクタの本体と蓋とをロック結合するロック部を改良して、半ロック状態の発生を防止するものである。
【背景技術】
【０００２】
自動車に配索するワイヤハーネスには、外部干渉材からの保護とワイヤハーネスの経路規制との目的から、樋形状の本体と、該本体にワイヤハーネスを挿通させた後に上面開口に被せてロック結合する蓋とからなる樹脂成形品のプロテクタが設けられている。
前記本体と蓋とは、本体内に挿通するワイヤハーネスの量が多い場合には、これらワイヤハーネスを本体内部に押し込めながら蓋を被せて、該蓋に設けたロック爪を本体に設けたロック枠に挿入係止しにくくなるなり、ロック爪がロック枠に対して半ロック状態になりやすい。
【０００３】
例えば、この種のプロテクタとして、実開平５−３８４１０号（特許文献１）で図５に示すワイヤハーネス用プロテクタ等のロック構造が開示されている。該ロック構造は、本体１の側壁外面にコ字枠状のロック枠２を突設すると共に、蓋３より下向きに突設するロック片４の外面にロック爪５を設け、該ロック爪５をロック枠２の下端面に係止させることにより本体１と蓋３とをロック結合している。
【０００４】
しかしながら、本体１の内部に電線を通した状態で本体１のロック枠２に蓋３のロック爪５を挿入してロック結合しようとすると、通した電線が盛り上がって蓋３が閉まりにくくなり、蓋３を下方に押し込む力が電線を介して本体１に伝わり、蓋３を押さえてロック結合するだけではロック枠２が下方に逃げて、図６に示すように、ロックが半係止状態になりやすい問題がある。特に、本体１が深さが浅い場合には蓋が半係止状態になりやすい。
そこで、ロック枠２とロック爪５の半係止状態を防止するため、ロック枠２がロック爪５から逃げないように本体１を保持した状態でロック結合作業を行わなければならず、作業員は一方の手で本体１をしっかりと保持して蓋側から逃げないようにしながら、他方の手でロック結合作業を行い、１つのロック結合に両手を使うこととなるため作業効率が悪くなる問題がある。
【特許文献１】実開平５−３８４１０号公報
【発明の開示】
【発明が解決しようとする課題】
【０００５】
本発明は前記問題に鑑みてなされたものであり、ワイヤハーネス用プロテクタの本体と蓋とをロック結合する際に、本体を保持することなく片手で確実にロック結合できるようにし、ロック結合作業の効率を向上させることを課題としている。
【課題を解決するための手段】
【０００６】
前記課題を解決するため、本発明は、底壁と両側壁を有する樋形状の本体と、該本体にワイヤハーネスを通した後に該本体の上面開口を閉鎖する蓋を被せて、該蓋と本体とをロック結合するプロテクタであって、
前記蓋の先端より下向きに突設するロック片の下端外面に、三角形状のロック爪を突設している一方、前記本体の側壁の上部外面にコ字枠状のロック枠を突設し、該ロック枠の中央連結部の外面の下部よりリブを突設し、前記ロック爪をロック枠に挿入して中央連結部の下端面にロック爪の上端面を係止させてロック係止させる際に、前記本体のロック枠のリブを押し上げながら、前記ロック片を突設した部位の前記蓋の上面を押し下げてロック爪をロック枠に挿入係止できる構成としていることを特徴とするワイヤハーネス用プロテクタを提供している。
【０００７】
前記構成によれば、プロテクタの本体と蓋とをロック結合する際、ロック枠に設けたリブを押し上げながら蓋の上面を押し下げてロック爪をロック枠に挿入することにより、本体を保持しなくてもロック枠がロック爪から逃げて下方に下がることがないため、ロック枠とロック爪の半係止状態を防止して、確実にロック爪の上端面をロック枠の下端面に係止することができる。これにより、作業員は１本の指でロック枠のリブを押し上げながら他の指で蓋を押し下げることができ、ロック結合作業を片手で行なうことができるため、作業効率を向上させることができる。
プロテクタに通すワイヤハーネスが大径であり、該ワイヤハーネスにより蓋が盛り上がるような場合には、蓋を力を入れて押し下げるため、本体が下方へ逃げようとするが、リブを指で押し上げてロック枠を保持しているため、該ロック枠にロック爪を正規位置に確実に係止することができる。
【０００８】
前記リブをロック枠の中央連結部の外面の下部より突設しているため、ロック爪が係止されるロック枠の下端面近傍を押し上げることができ、より確実にロック爪の上端面をロック枠の下端面に係止することができる。よって、前記リブの下端面とロック爪が係止されるロック枠の下端面が同一面であることが好ましい。
また、リブをロック枠の外面の下部より突設しているため、リブを押し上げる指が邪魔にならず効率良く作業を行うことができる。
【０００９】
前記ロック枠の中央連結部の内面の下端より内側リブを側方に向けて突設していることが好ましい。
前記構成によれば、中央連結部の内面から突設して設けた内側リブ側の中央連結部の下端面にロック爪の上端面を係止させることができるため、プロテクタの本体の外面と中央連結部の上側の内面との間隔を大きくしてロック枠のロック片挿入側を大きくして、ロック片のロック枠内への挿入を容易にすることができる。
また、ロック枠の外面から側方に向けて突設した前記リブと内側リブとを対向位置に設けておくと、前記外側のリブを押し上げたときに対向する内側リブが下方に傾斜され、ロック枠に挿入するロック片をガイドして容易に挿入することができる。
【００１０】
前記蓋は前記本体の側壁の一方側上端に薄肉ヒンジ部を介して一体成形されており、該蓋のヒンジ連結側と反対先端に前記ロック爪を備えたロック片を突設していると共に、前記本体の他方側の側壁の上部に前記ロック枠を突設している。
【００１１】
前記蓋と本体とが薄肉ヒンジ部を介して一体成形されているプロテクタでは、薄肉ヒンジ部を支点として蓋を本体側に回動させると、蓋を押し下げる力がヒンジ部を介して本体にも伝わり本体が下方に下がりやすい。よって、ロック枠にリブを設け、該リブを押し上げる構成とすれば、ヒンジ部により本体と蓋とが一体成形されたプロテクタにおいても確実に蓋と本体とをロック結合することができる。
なお、本体と蓋とが完全に分離して、蓋の両側にロック爪を設け、本体の両側壁の外面にロック枠を突設して、蓋を本体とロック結合する場合にも、本体の両側壁のロック枠に前記リブを突設しておくことが好ましい。
【発明の効果】
【００１２】
前述したように、本発明によれば、プロテクタの本体と蓋とをロック結合する際、ロック枠に設けたリブを押し上げながら蓋の上面を押し下げてロック爪をロック枠に挿入することにより、本体を保持しなくてもロック枠がロック爪から逃げて下方に下がることがないため、ロック枠とロック爪の半係止状態を防止して、確実にロック爪の上端面をロック枠の下端面に係止することができる。
これにより、作業員は１本の指でロック枠のリブを押し上げながら他の指で蓋を押し下げることができ、ロック結合作業を片手で行なうことができるため、作業効率を向上させることができる。
【発明を実施するための最良の形態】
【００１３】
本発明の実施形態を図面を参照して説明する。
図１乃至図３は、本発明の第１実施形態を示し、ワイヤハーネス用のプロテクタ１０は、底壁１１ａと側壁１１ｂを有する樋形状の本体１１と、該本体１１の側壁１１ｂの一方側上端に設けた薄肉ヒンジ部１２を介して一体成形された蓋１３とからなり、本体１１にワイヤハーネスＷ／Ｈを通した後に本体１１の上面開口に蓋１３を被せて、本体１１と蓋１３とをロック結合するものである。
【００１４】
前記本体１１の薄肉ヒンジ部１２を設けた側壁と反対側の側壁１１ｂの上部外面にコ字枠状のロック枠２０を本体１１の長さ方向に間隔をあけて突設している。該ロック枠２０は、図２に示すように、本体１１の外面から突設する左右両側部２１の先端を連結する中央連結部２２の外面の下部よりリブ２３を水平方向に突設している。該リブ２３の下端面２２ｃは、蓋１３のロック爪３１が係止される中央連結部２２の下端面２２ａと同一面としている。プロテクタ１０の本体１１の外面と中央連結部２２の内面との間隔をＬ１とし、ロック枠２０内に後述するロック片３０を挿入して係止できるように設定している。
【００１５】
一方、蓋１３のヒンジ連結側と反対側の先端には、本体１１のロック枠２０に対向する位置にロック片３０を下向きに突設しており、該ロック片３０の下端外面に上端面３１ａを水平方向の平面とした三角形状のロック爪３１を突設している。
【００１６】
前記本体１１と蓋１３のロック結合は、本体１１にワイヤハーネスＷ／Ｈを通した後、薄肉ヒンジ部１２を支点として蓋１３を本体１１側に回動させて、本体１１の上面開口に蓋１３を被せ、図２に示すように、本体１１のロック枠２０に蓋１３のロック片３０を挿入する。このとき、図３に示すように、ロック枠２０のリブ２３を上方に押し上げると共に、ロック片３０の付け根部分を下方に押し下げることにより、ロック枠２０が下方に逃げてロック枠２０とロック爪３１とが半係止状態になるのを防止して、確実にロック爪３１の上端面３１ａをロック枠２０の中央連結部２２の下端面２２ａに係止させて本体１１と蓋１３とをロック結合している。
【００１７】
本実施形態では、プロテクタ１０に通すワイヤハーネスＷ／Ｈが大径であり、図３に示すように、ワイヤハーネスＷ／Ｈの上面が蓋１３の内面に当接するため、蓋１３を押し下げる力がワイヤハーネスＷ／Ｈを介して本体１１に伝わり下方に下がろうとするが、ロック結合の際に、本体１１に設けたリブ２３を押し上げて、本体１１が下方に下がってロック枠２０がロック爪３１から逃げないようにしている。
【００１８】
なお、本体１１の長さ方向の両端からＬ字状の舌片１５を突設し、プロテクタ１０内に通すワイヤハーネスを該舌片１５にテープ巻き固定できるようにしている。
また、プロテクタ１０は、車両のフロアパネルの下方に配置されるものであり、上方から負荷がかかるため、蓋１３に長さ方向及び長さ方向に直交する方向に複数の補強リブ１６を突設して、上方から負荷がかかっても蓋１３が変形しないようにしている。これにより、プロテクタ１０内に通したワイヤハーネスを確実に保護できると共に、蓋１３が撓むことにより本体１１と蓋１３とのロックが解除されるのを防止することができる。
【００１９】
前記構成とすると、プロテクタ１０の本体１１と蓋１３とをロック結合する際、ロック枠２０に設けたリブ２３を押し上げながら蓋１３の上面を押し下げてロック爪３１をロック枠２０に挿入することにより、本体１１を保持しなくてもロック枠２０がロック爪３１から逃げて下方に下がることがないため、ロック枠２０とロック爪３１の半係止状態を防止して、確実にロック爪３１の上端面３１ａをロック枠２０の中央連結部２２下端面２２ａに係止することができる。これにより、作業員は１本の指でロック枠２０のリブ２２を押し上げながら他の指で蓋１３を押し下げることができ、ロック結合作業を片手で行なうことができるため、作業効率を向上させることができる。
なお、本実施形態のプロテクタは本体と蓋とが薄肉ヒンジ部を介して一体成形されているが、本体と蓋とを別体に設けたプロテクタであってもよい。
【００２０】
図４は、本発明の第２実施形態を示す。
第２実施形態のプロテクタ１０’は、ロック枠２０’の形状を第１実施形態と相違させており、ロック枠２０’の中央連結部２２’の内面の下端にも側方に向けて内側リブ２４’を突設している。該内側リブ２４’は中央連結部２２’を挟んでリブ２３’に対向する位置に設け、内側リブ２４’の下端面２４ａ’と中央連結部２２’の下端面２２ａ’とリブ２３’の下端面２３ａ’を同一面としている。また、内側リブ２４’の先端２４ｂ’とプロテクタ１０’の本体１１’の外面との間隔Ｌ１を第１実施形態の中央連結部とプロテクタの本体の外面との間隔Ｌ１と同等として、プロテクタ１０’の本体１１’の外面と中央連結部２２’の上側の内面との間隔Ｌ２を大きくしてロック枠２０’のロック片挿入側を大きく設定している。
【００２１】
前記構成によれば、中央連結部２２’の内面から突設して設けた内側リブ２４’の下端面２４ａ’と中央連結部２２’の下端面２２ａ’にロック爪３１’の上端面３１ａ’を係止させることができるため、ロック枠２０’のロック片挿入側を大きくして、ロック片３０’のロック枠内への挿入を容易にすることができる。
また、ロック枠２０’の外面から側方に向けて突設したリブ２３’と内側リブ２４’とを対向位置に設けているため、外側のリブ２３’を押し上げたときに対向する内側リブ２４’が、図４（Ｂ）に示すように、下方に傾斜され、ロック枠２０’に挿入するロック片３０’をガイドして容易に挿入することができる。
なお、他の構成及び作用効果は第１実施形態と同様のため、同一の符号を付して説明を省略する。
【図面の簡単な説明】
【００２２】
【図１】本発明の第１実施形態のワイヤハーネス用プロテクタの斜視図である。
【図２】ロック枠とロック片の斜視図である。
【図３】ロック枠とロック片によるロック結合の方法を示す図面である。
【図４】本発明の第２実施形態を示し、（Ａ）はロック枠とロック片によるロック結合の方法を示す図面、（Ｂ）はロック枠とロック片によるロック結合の過程を示す図面である。
【図５】従来例を示す図面である。
【図６】従来の問題点を示す図面である。
【符号の説明】
【００２３】
１０  ワイヤハーネス用プロテクタ
１１  本体
１２  薄肉ヒンジ部
１３  蓋
２０  ロック枠
２２  中央連結部
２３  リブ
２４’  内側リブ
３０  ロック片
３１  ロック爪
【図１】
2005318741.tif 000003
【図２】
2005318741.tif 000004
【図３】
2005318741.tif 000005
【図４】
2005318741.tif 000006
【図５】
2005318741.tif 000007
【図６】
2005318741.tif 000008